(57)【特許請求の範囲】
【請求項１】
外殻を含み、前記外殻の上端には塵埃収集空間が設置され、前記塵埃収集空間の下側には吸塵空間が二つ設置され、前記吸塵空間の下側には伸縮空間が二つ設置され、二つの前記伸縮空間の間には伝動空間が設置され、前記伝動空間の中には本願装置に動力を提供できる伝動機構が設置され、二つの前記伸縮空間の中にはいずれも伸縮機構が一つ設置され、前記伸縮機構は自身の幅を調節でき、前記吸塵空間の中には吸塵機構が設置され、前記吸塵機構は吸塵でき、前記伸縮空間の中にはさらに塵埃掃除機構が設置され、前記塵埃掃除機構は塵埃を掃除でき、
前記伸縮機構はネジ山軸を含み、前記ネジ山軸は左側にある前記伸縮空間の右側内壁に回転可能に連結され、前記ネジ山軸の右端には前記伝動空間の中に位置する第一傘歯車が設置され、前記ネジ山軸の左端にはネジ山スリーブがネジ山で連結され、前記ネジ山スリーブの中には環状で外部に開口した吸引空間が設置され、前記吸引空間の中には前記吸引空間の中で上下移動できる伸縮ブロックが設置され、前記伸縮ブロックの両端には第一磁性ブロックが設置され、前記伸縮ブロックの上端面には引張棒が固定的に連結され、前記第一磁性ブロックの上側において前記吸収空間の左右内壁にはいずれも右方と左方に開口した制限空間が設置され、左側にある前記制限空間の中には前記制限空間の中で左右摺動できる固定板が設置され、前記固定板の左端面には牽引ばねが設置され、前記牽引ばねは前記制限空間の左端面と連結され、前記固定板の右端面には第二磁性ブロックが固定的に設置され、前記第二磁性ブロックの中には右方に開口し、かつ前記第一磁性ブロックと噛み合える位置制限溝が形成され、前記伸縮空間の後側内壁には前方に開口する移動空間が設置され、前記移動空間の中には前記移動空間の中で前後摺動できる移動ブロックが設置され、前記移動ブロックの後端面には二本の引張ばねが固定的に設置され、前記引張ばねの後端は前記移動空間の後側内壁と連結され、前記移動ブロックの後端面にはさらに引縄が連結され、前記移動ブロックの中には前方に開口する摺動空間が設置され、前記摺動空間の中には前記摺動空間の中で左右摺動できる摺動ブロックが設置され、前記摺動ブロックの前端面は前記引張棒の後端面と固定的に連結され、
前記伸縮機構が自動的に塵埃掃除の幅範囲を調節し、そして前記塵埃掃除機構で塵埃を掃除し、最後に前記吸塵機構で塵埃を前記塵埃収集空間の中に送って収集し、
前記伝動機構は前記伝動空間の前側内壁に固定されたモータを含み、前記モータの後端には伝動軸が伝動可能に連結され、前記伝動軸の前端には駆動プーリが設置され、前記駆動プーリにはベルトが連結され、前記伝動軸の後端には前記第一傘歯車と噛み合うように連結された第二傘歯車が設置されており、
前記塵埃掃除機構は前記ネジ山スリーブの外壁に固定されたブラシを含み、前記ネジ山スリーブの左端には左方に開口する回転空間が設置され、前記回転空間の中には前記回転空間の中で摺動できる回転ブロックが設置され、前記回転ブロックの左端面には固定棒が固定的に連結され、前記固定棒には圧縮盤が嵌め込まれ、前記圧縮盤の左端には左方に開口する開口空間が二つ設置され、前記開口空間の中には前記開口空間の中で回転できる回転輪が設置され、前記圧縮盤の右端面には二本の復位ばねが設置され、前記復位ばねは前記ネジ山スリーブの左端面と連結されており、
前記吸塵機構は従動軸を含み、前記従動軸は前記伝動空間の前後内壁に回転可能に連結され、かつ前記伝動軸の上側に位置し、前記従動軸の前端には従動プーリが設置され、前記従動プーリには前記ベルトが連結され、前記従動軸の後端には第三傘歯車が設置され、前記吸塵空間の左右両側の上内壁にはいずれも一本のファン軸が回転可能に連結され、前記ファン軸の下端にはいずれも二枚のファン羽根が設置され、前記ファン軸の上端には従動スプロケットが一つ設置され、前記伝動空間の上側内壁には回転軸が回転可能に連結され、前記回転軸の上端には駆動スプロケットが設置され、前記駆動スプロケットと二つの前記従動スプロケットとはチェーンで連結され、前記回転軸の下端には前記第三傘歯車と噛み合うように連結された第四傘歯車が設置されており、
前記吸塵機構はさらに前記塵埃収集空間の下端に位置する吸塵板を含み、前記吸塵板は塵埃を通過させることができ、前記外殻の下端には四つのガイド輪が設置されており、
前記伸縮機構はさらに押しブロック空間を含み、前記押しブロック空間は前記ネジ山スリーブの左端に設置され、かつ左方に開口し、前記押しブロック空間の中には前記押しブロック空間の中で左右摺動できる押しブロックが設置され、前記押しブロックの右端面には弾性ばねが設置され、前記弾性ばねは前記押しブロック空間の右側内壁と連結され、前記押しブロックの右端面には前記引縄の一端が連結されており、
前記モータを作動させ、前記モータは作動して後端の前記伝動軸を駆動して回転させ、そして前記駆動プーリと前記第二傘歯車とは駆動されて回転し、さらに前記第二傘歯車と噛み合うように連結された二つの前記第一傘歯車とを駆動して回転させ、そして二本の前記ネジ山軸は駆動されて回転し、初期状態で、両側の前記伸縮ブロックと前記第一磁性ブロックとは前記吸引空間の後端にあり、かつ前記伸縮ブロックは二つの前記第二磁性ブロックと連結されて前記ネジ山スリーブの回転を制限し、前記ネジ山軸は回転することで、両側の前記圧縮盤が壁に当接するまで、前記ネジ山軸とネジ山で連結された前記ネジ山スリーブを駆動して左方へ移動させ、
前記ネジ山スリーブは回転しはじめ、前記ネジ山スリーブの外壁にある前記ブラシは廊下の両側に塵埃掃除を行い、
塵埃掃除が終わったあとに、廊下用塵埃掃除装置を押して広い場所に送ることを特徴とする自動的に幅を調整できる廊下用塵埃掃除装置。
【請求項２】
初期状態で、前記伸縮ブロックは前記吸引空間の後端に位置し、二つの前記第一磁性ブロックは二つの前記第二磁性ブロックを吸引して前記制限空間の中から出し、そして前記吸引空間の後端に入らせ、前記伸縮ブロックの両端は前記位置制限溝の中に位置していることを特徴とする請求項１に記載の自動的に幅を調整できる廊下用塵埃掃除装置。
【請求項３】
前記弾性ばねの弾力は前記押しブロックが前記押しブロック空間の中で摺動するときに受けた摩擦力より大きいことを特徴とする請求項１に記載の自動的に幅を調整できる廊下用塵埃掃除装置。
【請求項４】
初期状態で、前記弾性ばねは圧縮状態にあり、前記押しブロックにある前記引縄は引っ張られる状態にあることを特徴とする請求項１に記載の自動的に幅を調整できる廊下用塵埃掃除装置。
【発明の詳細な説明】
【技術分野】
【０００１】
本願発明は掃除分野を取り上げ、特に自動的に幅を調整できる廊下用塵埃掃除装置に関わる。
【背景技術】
【０００２】
廊下は長時間利用された後に、よく大量の塵埃がたまり、清潔さを保つため、定期的に掃除を行う必要がある。しかし、廊下は基本的に長く、掃除するときにかなりの手間をかけなければならなく、そして塵埃自体に対する掃除も難しい。
現段階において、廊下に対する塵埃掃除は、基本的に人力で行うが、大量の労力を費やすだけでなく、掃除効果も限られている。また、吸塵装置で吸塵を行うには、廊下の長さで掃除が難しくなる。
【先行技術文献】
【特許文献】
【０００３】
【特許文献１】中国特許出願公開第１０７４９５６８３号明細書
【発明の概要】
【発明が解決しようとする課題】
【０００４】
本願は自動的に幅を調整できる廊下用塵埃掃除装置を提供し、掃除効率の悪さと適用範囲の小ささなどの問題を解消し、作業効率と適用範囲の向上を目的とする。
【課題を解決するための手段】
【０００５】
本願発明は以下の技術的解決策で実現する。
【０００６】
本願の幅を調整できる廊下用塵埃掃除装置は、外殻を含み、前記外殻の上端には塵埃収集空間が設置され、前記塵埃収集空間の下側には吸塵空間が二つ設置され、前記吸塵空間の下側には伸縮空間が二つ設置され、二つの前記伸縮空間の間には伝動空間が設置され、前記伝動空間の中には本願装置に動力を提供できる伝動機構が設置され、二つの前記伸縮空間の中にはいずれも伸縮機構が一つ設置され、前記伸縮機構は自身の幅を調節でき、前記吸塵空間の中には吸塵機構が設置され、前記吸塵機構は吸塵でき、前記伸縮空間の中にはさらに塵埃掃除機構が設置され、前記塵埃掃除機構は塵埃を掃除でき、
前記伸縮機構はネジ山軸を含み、前記ネジ山軸は左側にある前記伸縮空間の右側内壁に回転可能に連結され、前記ネジ山軸の右端には前記伝動空間の中に位置する第一傘歯車が設置され、前記ネジ山軸の左端にはネジ山スリーブがネジ山で連結され、前記ネジ山スリーブの中には環状で外部に開口した吸引空間が設置され、前記吸引空間の中には前記吸引空間の中で上下移動できる伸縮ブロックが設置され、前記伸縮ブロックの両端には第一磁性ブロックが設置され、前記伸縮ブロックの上端面には引張棒が固定的に連結され、前記第一磁性ブロックの上側において前記吸収空間の左右内壁にはいずれも右方と左方に開口した制限空間が設置され、左側にある前記制限空間の中には前記制限空間の中で左右摺動できる固定板が設置され、前記固定板の左端面には牽引ばねが設置され、前記牽引ばねは前記制限空間の左端面と連結され、前記固定板の右端面には第二磁性ブロックが固定的に設置され、前記第二磁性ブロックの中には右方に開口し、かつ前記第一磁性ブロックと噛み合える位置制限溝が形成され、前記伸縮空間の後側内壁には前方に開口する移動空間が設置され、前記移動空間の中には前記移動空間の中で前後摺動できる移動ブロックが設置され、前記移動ブロックの後端面には二本の引張ばねが固定的に設置され、前記引張ばねの後端は前記移動空間の後側内壁と連結され、前記移動ブロックの後端面にはさらに引縄が連結され、前記移動ブロックの中には前方に開口する摺動空間が設置され、前記摺動空間の中には前記摺動空間の中で左右摺動できる摺動ブロックが設置され、前記摺動ブロックの前端面は前記引張棒の後端面と固定的に連結され、
前記伸縮機構が自動的に塵埃掃除の幅範囲を調節し、そして前記塵埃掃除機構で塵埃を掃除し、最後に前記吸塵機構で塵埃を前記塵埃収集空間の中に送って収集する。
【０００７】
さらに、前記伝動機構は前記伝動空間の前側内壁に固定されたモータを含み、前記モータの後端には伝動軸が伝動可能に連結され、前記伝動軸の前端には駆動プーリが設置され、前記駆動プーリにはベルトが連結され、前記伝動軸の後端には前記第一傘歯車と噛み合うように連結された第二傘歯車が設置されている。
【０００８】
さらに、前記塵埃掃除機構は前記ネジ山スリーブの外壁に固定されたブラシを含み、前記ネジ山スリーブの左端には左方に開口する回転空間が設置され、前記回転空間の中には前記回転空間の中で摺動できる回転ブロックが設置され、前記回転ブロックの左端面には固定棒が固定的に連結され、前記固定棒には圧縮盤が嵌め込まれ、前記圧縮盤の左端には左方に開口する開口空間が二つ設置され、前記開口空間の中には前記開口空間の中で回転できる回転輪が設置され、前記圧縮盤の右端面には二本の復位ばねが設置され、前記復位ばねは前記ネジ山スリーブの左端面と連結されている。
【０００９】
さらに、前記吸塵機構は従動軸を含み、前記従動軸は前記伝動空間の前後内壁に回転可能に連結され、かつ前記伝動軸の上側に位置し、前記従動軸の前端には従動プーリが設置され、前記従動プーリには前記ベルトが連結され、前記従動軸の後端には第三傘歯車が設置され、前記吸塵空間の左右両側の上内壁にはいずれも一本のファン軸が回転可能に連結され、前記ファン軸の下端にはいずれも二枚のファン羽根が設置され、前記ファン軸の上端には従動スプロケットが一つ設置され、前記伝動空間の上側内壁には回転軸が回転可能に連結され、前記回転軸の上端には駆動スプロケットが設置され、前記駆動スプロケットと二つの前記従動スプロケットとはチェーンで連結され、前記回転軸の下端には前記第三傘歯車と噛み合うように連結された第四傘歯車が設置されている。
【００１０】
さらに、前記吸塵機構はさらに前記塵埃収集空間の下端に位置する吸塵板を含み、前記吸塵板は塵埃を通過させることができ、前記外殻の下端には四つのガイド輪が設置されている。
【００１１】
さらに、前記伸縮機構はさらに押しブロック空間を含み、前記押しブロック空間は前記ネジ山スリーブの左端に設置され、かつ左方に開口し、前記押しブロック空間の中には前記押しブロック空間の中で左右摺動できる押しブロックが設置され、前記押しブロックの右端面には弾性ばねが設置され、前記弾性ばねは前記押しブロック空間の右側内壁と連結され、前記押しブロックの右端面には前記引縄の一端が連結されている。
【００１２】
さらに、初期状態で、前記伸縮ブロックは前記吸引空間の後端に位置し、二つの前記第一磁性ブロックは二つの前記第二磁性ブロックを吸引して前記制限空間の中から出し、そして前記吸引空間の後端に入らせ、前記伸縮ブロックの両端は前記位置制限溝の中に位置している。
【００１３】
さらに、前記弾性ばねの弾力は前記押しブロックが前記押しブロック空間の中で摺動するときに受けた摩擦力より大きい。
【００１４】
さらに、初期状態で、前記弾性ばねは圧縮状態にあり、前記押しブロックにある前記引縄は引っ張られる状態にある。
【発明の効果】
【００１５】
本願発明は以下のプラス効果を有する：当該装置はシンプルな構成と簡単な操作方法を有し、作業時に廊下の幅に合わせて自動的に塵埃掃除の幅範囲を調節でき、壁に当接になるとき、自動的に塵埃掃除機構を作動させて地面の塵埃を掃除して集め、装置の適用性と効率とを向上させられる。
【図面の簡単な説明】
【００１６】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の実施例の構成略図
【図２】図２は本願発明の実施例の図１におけるＡ―Ａ部の環状ブラシの全断面上面構成略図
【図３】図３は本願発明の実施例の図２におけるＢ部の構成略図
【図４】図４は本願発明の実施例の図１における従動軸の全断面上面構成略図
【発明を実施するための形態】
【００１８】
図１〜４を合わせ、本願の幅を調整できる廊下用塵埃掃除装置の実施例は、外殻１０を含み、前記外殻１０の上端には塵埃収集空間１４が設置され、前記塵埃収集空間１４の下側には吸塵空間１１が二つ設置され、前記吸塵空間１１の下側には伸縮空間２８が二つ設置され、二つの前記伸縮空間２８の間には伝動空間２３が設置され、前記伝動空間２３の中には本願装置に動力を提供できる伝動機構４８が設置され、二つの前記伸縮空間２８の中にはいずれも伸縮機構４７が一つ設置され、前記伸縮機構４７は自身の幅を調節でき、前記吸塵空間１１の中には吸塵機構１３が設置され、前記吸塵機構１３は吸塵でき、前記伸縮空間２８の中にはさらに塵埃掃除機構２９が設置され、前記塵埃掃除機構２９は塵埃を掃除でき、前記伸縮機構４７はネジ山軸２７を含み、前記ネジ山軸２７は左側にある前記伸縮空間２８の右側内壁に回転可能に連結され、前記ネジ山軸２７の右端には前記伝動空間２３の中に位置する第一傘歯車２６が設置され、前記ネジ山軸２７の左端にはネジ山スリーブ３３がネジ山で連結され、前記ネジ山スリーブ３３の中には環状で外部に開口した吸引空間５６が設置され、前記吸引空間５６の中には前記吸引空間５６の中で上下移動できる伸縮ブロック５４が設置され、前記伸縮ブロック５４の両端には第一磁性ブロック５５が設置され、前記伸縮ブロック５４の上端面には引張棒４６が固定的に連結され、前記第一磁性ブロック５５の上側において前記吸収空間５６の左右内壁にはいずれも右方と左方に開口した制限空間５０が設置され、左側にある前記制限空間５０の中には前記制限空間５０の中で左右摺動できる固定板５１が設置され、前記固定板５１の左端面には牽引ばね４９が設置され、前記牽引ばね４９は前記制限空間５０の左端面と連結され、前記固定板５１の右端面には第二磁性ブロック５２が固定的に設置され、前記第二磁性ブロック５２の中には右方に開口し、かつ前記第一磁性ブロック５５と噛み合える位置制限溝５３が形成され、前記伸縮空間２８の後側内壁には前方に開口する移動空間４３が設置され、前記移動空間４３の中には前記移動空間４３の中で前後摺動できる移動ブロック４１が設置され、前記移動ブロック４１の後端面には二本の引張ばね４２が固定的に設置され、前記引張ばね４２の後端は前記移動空間４３の後側内壁と連結され、前記移動ブロック４１の後端面にはさらに引縄４０が連結され、前記移動ブロック４１の中には前方に開口する摺動空間４４が設置され、前記摺動空間４４の中には前記摺動空間４４の中で左右摺動できる摺動ブロック４５が設置され、前記摺動ブロック４５の前端面は前記引張棒４６の後端面と固定的に連結され、前記伸縮機構４７が自動的に塵埃掃除の幅範囲を調節し、そして前記塵埃掃除機構２９で塵埃を掃除し、最後に前記吸塵機構１３で塵埃を前記塵埃収集空間１４の中に送って収集する。
【００１９】
好ましくは、前記伝動機構４８は前記伝動空間２３の前側内壁に固定されたモータ３６を含み、前記モータ３６の後端には伝動軸２５が伝動可能に連結され、前記伝動軸２５の前端には駆動プーリ２４が設置され、前記駆動プーリ２４にはベルト６６が連結され、前記伝動軸２５の後端には前記第一傘歯車２６と噛み合うように連結された第二傘歯車６０が設置されている。
【００２０】
好ましくは、前記塵埃掃除機構２９は前記ネジ山スリーブ３３の外壁に固定されたブラシ３４を含み、前記ネジ山スリーブ３３の左端には左方に開口する回転空間３７が設置され、前記回転空間３７の中には前記回転空間３７の中で摺動できる回転ブロック６１が設置され、前記回転ブロック６１の左端面には固定棒３１が固定的に連結され、前記固定棒３１には圧縮盤３２が嵌め込まれ、前記圧縮盤３２の左端には左方に開口する開口空間３８が二つ設置され、前記開口空間３８の中には前記開口空間３８の中で回転できる回転輪３９が設置され、前記圧縮盤３２の右端面には二本の復位ばね３０が設置され、前記復位ばね３０は前記ネジ山スリーブ３３の左端面と連結されている。
【００２１】
好ましくは、前記吸塵機構１３は従動軸２２を含み、前記従動軸２２は前記伝動空間２３の前後内壁に回転可能に連結され、かつ前記伝動軸２５の上側に位置し、前記従動軸２２の前端には従動プーリ１８が設置され、前記従動プーリ１８には前記ベルト６６が連結され、前記従動軸２２の後端には第三傘歯車５７が設置され、前記吸塵空間１１の左右両側の上内壁にはいずれも一本のファン軸１６が回転可能に連結され、前記ファン軸１６の下端にはいずれも二枚のファン羽根３５が設置され、前記ファン軸１６の上端には従動スプロケット１５が一つ設置され、前記伝動空間２３の上側内壁には回転軸２１が回転可能に連結され、前記回転軸２１の上端には駆動スプロケット２０が設置され、前記駆動スプロケット２０と二つの前記従動スプロケット１５とはチェーン１７で連結され、前記回転軸２１の下端には前記第三傘歯車５７と噛み合うように連結された第四傘歯車１９が設置されている。  
【００２２】
好ましくは、前記吸塵機構１３はさらに前記塵埃収集空間１４の下端に位置する吸塵板１２を含み、前記吸塵板１２は塵埃を通過させることができ、前記外殻１０の下端には四つのガイド輪６２が設置されている。
【００２３】
好ましくは、前記伸縮機構４７はさらに押しブロック空間６５を含み、前記押しブロック空間６５は前記ネジ山スリーブ３３の左端に設置され、かつ左方に開口し、前記押しブロック空間６５の中には前記押しブロック空間６５の中で左右摺動できる押しブロック６３が設置され、前記押しブロック６３の右端面には弾性ばね６４が設置され、前記弾性ばね６４は前記押しブロック空間６５の右側内壁と連結され、前記押しブロック６３の右端面には前記引縄４０の一端が連結されている。
【００２４】
好ましくは、初期状態で、前記伸縮ブロック５４は前記吸引空間５６の後端に位置し、二つの前記第一磁性ブロック５５は二つの前記第二磁性ブロック５２を吸引して前記制限空間５０の中から出し、そして前記吸引空間５６の後端に入らせ、前記伸縮ブロック５４の両端は前記位置制限溝５３の中に位置している。
【００２５】
好ましくは、前記弾性ばね６４の弾力は前記押しブロック６３が前記押しブロック空間６５の中で摺動するときに受けた摩擦力より大きい。
【００２６】
好ましくは、初期状態で、前記弾性ばね６４は圧縮状態にあり、前記押しブロック６３にある前記引縄４０は引っ張られる状態にある。
【００２７】
装置全体の作動手順は以下の通りである。
【００２８】
１、装置を廊下に置き、モータ３６を作動させ、モータ３６は作動して後端の伝動軸２５を駆動して回転させ、そして駆動プーリ２４と第二傘歯車６０とは駆動されて回転し、さらに第二傘歯車６０と噛み合うように連結された二つの第一傘歯車２６とを駆動して回転させ、そして二本のネジ山軸２７は駆動されて回転し、初期状態で、両側の伸縮ブロック５４と第一磁性ブロック５５とは吸引空間５６の後端にあり、かつ伸縮ブロック５４は二つの第二磁性ブロック５２と連結されてネジ山スリーブ３３の回転を制限し、ネジ山軸２７が回転することで、ネジ山軸２７とネジ山で連結されたネジ山スリーブ３３を駆動して左方へ移動させる。
【００２９】
２、ネジ山スリーブ３３が運動して両側の圧縮盤３２が壁に当接になるとき、左側にある圧縮盤３２は圧迫されて右方へ運動し、押しブロック６３を押して右方へ運動させ、そして引縄４０を緩め、移動ブロック４１は引縄４０による引っ張りをなくし、二本の引張ばね４２により前方へ運動し、そして摺動ブロック４５と引張棒４６とを押して前方へ運動させ、伸縮ブロック５４は引張棒４６の前端まで運動し、ネジ山スリーブ３３を制限しなくなり、ネジ山スリーブ３３は回転しはじめ、ネジ山スリーブ３３の外壁にあるブラシ３４は廊下の両側に塵埃掃除を行う。
【００３０】
３、駆動プーリ２４が回転してベルト６６によって連結された従動プーリ１８を駆動して回転させ、そして従動軸２２と従動軸２２の後端にある第三傘歯車５７とは駆動されて回転し、さらに第三傘歯車５７と噛み合うように連結された第四傘歯車１９とを駆動して回転させ、さらに回転軸２１と回転軸２１にある駆動スプロケット２０とは駆動されて回転し、さらに駆動スプロケット２０とチェーン１７によって連結された二つの従動スプロケット１５とは駆動されて回転し、さらに二本のファン軸１６は駆動されて回転し、さらに両側のファン羽根３５は駆動されて回転し、掃除を受けた塵埃を吸収し、吸収された塵埃は吸塵板１２を通じて塵埃収集空間１４の中に入る。
【００３１】
４、塵埃掃除が終わったあとに、装置を押して広い場所に送り、両側の圧縮盤３２は壁に当接しなくなったあと、復位ばね３０によって復位し、移動ブロック４１は改めて引縄４０に引っ張られて後方へ運動し、そして伸縮ブロック５４を引いて改めて吸収空間５６の後端に入らせて二つの第二磁性ブロック５２とを吸引させ、ネジ山スリーブ３３は改めて制限される。
【００３２】
５、モータ３６を作動させて逆回転させ、そして伝動軸２５を駆動して逆回転させ、伝動によって伸縮機構４７は駆動されて逆回転し、そして両側のネジ山スリーブ３３は収納されて復位し、モータ３６を止め、操作を完了とする。
【００３３】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願は自動的に幅を調整できる廊下用塵埃掃除装置を開示した。
【解決手段】
外殻を含み、前記外殻の上端には塵埃収集空間が設置され、前記塵埃収集空間の下側には吸塵空間が二つ設置され、前記吸塵空間の下側には伸縮空間が二つ設置され、二つの前記伸縮空間の間には伝動空間が設置され、前記伝動空間の中には本願装置に動力を提供できる伝動機構が設置され、二つの前記伸縮空間の中にはいずれも伸縮機構が一つ設置され、前記伸縮機構は自身の幅を調節でき、当該装置はシンプルな構成と簡単な操作方法を有し、作業時に廊下の幅に合わせて自動的に塵埃掃除の幅範囲を調節でき、壁に当接になるとき、自動的に塵埃掃除機構を作動させて地面の塵埃を掃除して集め、装置の適用性と効率とを向上させられる。
【選択図】図１【図１】
0006802422.tif 000002
【図２】
0006802422.tif 000003
【図３】
0006802422.tif 000004
【図４】
0006802422.tif 000005